(57)【要約】【課題】可能な限り少数かつ単純な部材と組立工程をもって、キット時でも嵩まず安定形を保ち、初心者でも短時間で容易かつ安全に美麗な冊子が作製できる、写真集製本キットを提供する。【解決手段】各一対の、表紙芯材と両面を剥離紙で保護された表紙用両面粘着シートおよび見返用両面粘着シート、１枚の背表紙用粘着ラベルと表紙部四隅に装着する４個の補強金具、予め冊子状に製本された台紙集合体１冊と台紙中間用紙複数枚を有し、台紙集合体の背部に背表紙用粘着ラベルを貼り、表紙用紙と表紙芯材を表紙用両面粘着シートで接合し、台紙集合体の表裏見返部と表紙芯材の表紙用紙が貼られていない面を見返用両面粘着シートで接合し、表紙の四隅の角部に補強金具を装着し、複数の台紙間に同数の中間用紙を挟んで製本するオリジナル写真集用製本キットである。【選択図】図１
0003123620.tif 000002
【実用新案登録請求の範囲】
【請求項１】
２枚の分離した表紙芯材の片面に、適度な面積を有する両面粘着シートにて、各ユーザーが準備した表紙用写真等プリント紙を接合し、前記各表紙芯材の、表紙用写真等プリント紙を接合していない片面へ、あらかじめ背貼りされた冊子状の台紙集合体に背表紙用粘着ラベルを貼着後、適度な面積を有する両面粘着シートにて貼り合せ、表紙の見開き状態において外側に位置する四方の角部に補強用金具を装着し、写真集として利用する冊子を製本することを特徴とするオリジナル写真集用製本キット。
【請求項２】
請求項１に記載の製本キットにおいて、表表紙用及び裏表紙用の適度な厚さと強度を持つ材質で形成された表紙芯材、布製粘着テープ等で背貼り加工された写真類を貼り付けるための台紙部と、表表紙及び裏表紙の見返部を形成する適度な厚さの台紙用紙、表裏各表紙用紙と各表紙芯材を接着するための適度な広さを持つ両面粘着シート、表及び裏表紙芯材の表紙用紙を貼っていない面と表及び裏の見返部を接着するための、適度な長さと幅を有する両面粘着シート、あらかじめタイトル文言等を印刷した背表紙用の粘着ラベル、表及び裏表紙の背表紙側に位置しない上下の角部合計４箇所を補強するために装着する金具、各台紙に貼り付ける写真紙の表面保護他のために挟む適度な材質と広さを有する中間用紙の各部材を組み立てることによって製本することを特徴とする写真集用製本キット。
【請求項３】
請求項１及び請求項２に記載する写真集用製本キットにおいて、表紙部材の表表紙と裏表紙の間に挟み込むための台紙集合体について、あらかじめ冊子状に背貼製本された台紙集合体を使用して製本するための写真集製本キットであって、分離した２枚の表表紙用及び裏表紙用の表紙部材と、複数の各台紙用紙をほぼ半分に折り畳んで重ね、隣り合う各用紙の外側面同士を液状接着剤で貼り合わせて台紙集合体を形成し、前記台紙集合体の最も外側となる頁を見返部として、表及び裏表紙芯材と接合する方法で製本することを特徴とする写真集用製本キット。
【請求項４】
請求項１及び請求項２に記載する写真集用製本キットにおいて、冊子状に背貼りされた台紙集合体の背表紙部に、あらかじめタイトル文字等を印刷した片面粘着ラベルを貼り付け、表裏それぞれの表紙芯材の片面を両面粘着シートにて表紙用写真等プリント紙と接合し、反対面を台紙集合体の表裏各見返部と両面粘着シートにて接合し、表及び裏表紙部の背表紙側に位置しない上下の角部合計４箇所に補強用金具を装着して作製することを特徴とする写真集用製本キット
【請求項５】
請求項１及び請求項２に記載する写真集用製本キットを構成する台紙集合体について、複数枚の長方形台紙用紙の長い方の一辺を、そのほぼ中央部を中心として半分に折り曲げ、約半分の面積を有する長方形の冊子状とし、折り曲げた各台紙用紙を重ね合わせ、隣り合うそれぞれの台紙用紙の外側面同士を貼り合わせることによって固定し、冊子状を形成した台紙集合体の背部を布製粘着テープ等で背貼りすることによって、あらかじめ離別が困難な台紙集合体を形成していることを特徴とする写真集用製本キット。
【請求項６】
請求項５に記載する台紙集合体につき、表紙を除いた台紙部の標準枚数は５枚とするが、製作者の希望により台紙枚数を３枚から６枚まで増減できることを含む。
【請求項７】
請求項５に記載する台紙集合体につき、製作者の希望に応じて、１頁当たりの台紙面積として、最小時縦１９ｃｍ、横１４ｃｍから、最大時縦２９．１ｃｍ、横２１．０ｃｍまでの形成が可能な用紙を使用するものとする。
【請求項８】
請求項１及び請求項２に記載する写真集用製本キットを構成する背表紙用粘着ラベルについては、耐水性や耐磨耗性にすぐれた材質または表面加工が施されたインクジェットプリンター、銀塩プリンター等の印刷に適し、片面を剥離紙で保護された粘着ラベルであることを特徴とする写真集用製本キット。
【請求項９】
請求項１及び請求項２に記載する写真集用製本キットを構成する表表紙用及び裏表紙用の表紙芯材については、表紙としての適度の強度と厚みを有する紙類を使用し、表紙芯材の縦横の長さ及び幅は、折り畳んで背貼りされた状態での台紙集合体を構成する台紙面の縦横の長さ及び幅よりやや長めの長さ及び幅を有する芯材であることを特徴とする写真集用製本キット。
【請求項１０】
請求項１及び請求項２に記載する写真集製本キットを構成する表及び裏表紙用写真等プリント紙と表紙芯材を接着する２枚の両面粘着シートについて、各表紙用写真等プリント紙と同等の形状と表面積を有し、両面を剥離紙にて保護された物であり、表及び裏表紙芯材の内側と台紙集合体の最も外側に位置する見返部の外側を接着する２枚の両面粘着シートについては、台紙集合体の表及び裏見返部の縦横の長さと幅よりやや短い長さと幅を有し、両面を剥離紙にて保護された粘着シートを使用することを特徴とする写真集用製本キット。
【請求項１１】
請求項１及び請求項２に記載する写真集用製本キットを構成する製本キットを組み立て後見開き状態にした際に、表紙部のうち背表紙側に位置しない四方の角部を補強するため装着する金具については、表紙用プリント紙及び台紙見返部を接合した表紙部材が、隙間無く密着固定する程度の溝部幅を持つことを特徴とする写真集用製本キット。
【考案の詳細な説明】
【技術分野】
【０００１】  本考案は、プリントされた個々の写真を貼り付けてオリジナル写真集を作製するための製本キットに関する。
【背景技術】
【０００２】  近年、写真撮影器具としてデジタルカメラ等が普及し、またその精度も向上し、家庭用のみならず写真館等での営業写真撮影においても、デジタルカメラ及び印刷器具としてインクジェット他のカラープリンターを使用する例が増えており、写真の仕上げ時間の短縮に寄与している。【０００３】  従来、写真館等で撮影された、例えば記念写真等を台紙等に貼りつけ、写真集等に加工を行う場合、アルバム製造業者等が製造する製本済みアルバム台紙類を購入後、加工作業を行うことが多かった。【０００４】  一方、撮影を依頼した者はできるだけ安価で、しかも早期に完成した写真を手にし、いつも身近に飾り、あるいは収納の際もできるだけ手元に置きたいと希望する場合が多い。当然、その写真集はコンパクトで手軽に持ち運びが可能であり、収納の際にも場所をとらない形状であることが望ましいと考える。【０００５】  しかし、アルバム製造業者等が製造している製本済台紙類は、比較的大型かつ高額であり、しかも写真の収容可能枚数が少ない。これらの製本済台紙類を使用して作製した写真集は、当然大型となり、展示は勿論収納にも相応の場所を要する。また持ち運びにも不便で、結果として押入れや物置などにしまい込みがちになるという問題が生じる。その他、製本済台紙の購入費用は完成写真の小売額を増加させる要因となり、総じて高価な割には活用頻度が低い写真集となる可能性が高い。【０００６】  ところで従来から、比較的少額で容易に製本作業を行う手段として、各ユーザーが各自で印刷したパソコン等の写真情報等を基に、表紙付のオリジナルアルバムや冊子を、リベットにて連綴する手法を用いた製本キット（例えば特許文献１参照）や、プリント紙に印刷済の表紙部材と、本文部材相互の喉部を粘着テープにて貼り合せ、さらに表紙部材に挟み込むという手法を用いて製本を行うキット（例えば特許文献２参照）も提案されている。【０００７】
【特許文献１】特開２００３−１７０６７５号公報
【０００８】
【特許文献２】特開２００５−１９９６８５号公報
【考案の開示】
【考案が解決しようとする課題】
【０００９】  しかしながら、特許文献１の製本キットにおいては、いずれも表表紙部と裏表紙部、
しかしながら、特許文献１の製本キットにおいては、いずれも表表紙部と裏表紙部、背表紙部が一体となっている構造上、キットの状態においては極めて不安定な形状であり、運搬時に型崩れや破損を引き起こす可能性がある。
また、特許文献２の製本方法は、多数の部材の組み立てを要し、中でも複数のプリント済本文部を互いに接着するという、比較的複雑な作業を伴うため、誰でも簡単に、しかも美麗に製本できるという点で問題がある。
加えて、従来の技術で提案されている製本キットは、製本作業に慣れた者でも、組立てに少なくとも数十分程度の時間を要するという問題もある。【００１０】  本考案は、上記のような実情を鑑みて、表・裏表紙部と背表紙部を分離し、あらかじめ台紙部と表紙見返部を冊子状に製本しておくことにより、可能な限り単純かつ少数部材とし、キット状態時においても嵩まず安定形を保ち、作業に慣れない者でも１０分〜１５分程度の短時間で、容易かつ安全に低コストで美麗な冊子を作製することができる、オリジナル写真集製本キットを提供することを目的とする。
【課題を解決するための手段】
【００１１】  本考案の写真集用製本キットは、表表紙用及び裏表紙用の一対の表紙芯材と、写真台紙として適当な強度と厚みを併せ持つ材質の用紙を、用紙全体の中央部からほぼ半分に折り曲げ、積み重ねた後相互を貼り合わせ、布製の片面粘着テープにて背貼りを施し、冊子状の台紙集合体を形成する複数の台紙用紙、上記台紙用紙にて形成される冊子集合体の、最も外側に位置する表及び裏の見返部と、表及び裏表紙の内側部を接着するための、見返部とほぼ同面積を有する、２枚の両面を剥離紙で保護された両面粘着シート、表表紙及び裏表紙として使用する写真類プリント紙と、表表紙及び裏表紙用芯材を接着するための、各表紙芯材より縦横ともに２．５〜３ｃｍ程度長い寸法を有する、２枚の両面を剥離紙にて保護された両面粘着シート、表紙接着後の冊子を形成した際に、見開き形態にて表紙の外側に位置する四方の角部に装着するための、表紙芯材を収納するために適度な幅の溝をもつ補強金具４個、あらかじめタイトル文字等を印刷した、背表紙を形成する１枚の片面粘着ラベル、キット時における台紙集合体の形状安定と、台紙表面保護のため各台紙間に挟む、台紙と同等のサイズを有する複数枚の中間用紙とで構成されていることを特徴とする写真集用製本キットである。【００１２】  また本考案は、既に冊子状に背貼りされた台紙集合体の背表紙部に、あらかじめタイトル文字等を印刷した片面粘着ラベルを貼り付け、表裏それぞれの表紙芯材の片面を、両面粘着シートにて表紙用プリント紙と接合し、前記表紙芯材の反対面を、上記台紙集合体の見返部と両面粘着シートにて接合し、冊子の見開き状態において、表紙の外側に位置する四方の角部に、補強用の金具を装着して作製する写真集用製本キットである。【００１３】  本考案の台紙集合体は、複数枚の台紙用紙の中央部を中心として、ほぼ半分の面積を有する長方形を形成するよう折り曲げ、さらに各台紙用紙を重ね合わせて、隣り合うそれぞれの台紙用紙の外側面同士を貼り合わせることによって固定し、冊子状を形成した台紙集合体の背部全体を、布製粘着テープ（例えば布製製本テープ等）にて背貼りすることによって、あらかじめ離別が困難な冊子を形成している。このことによって各台紙部の強度が増し、表紙芯材との接合を行う際も台紙相互のずれを防ぎ、製本作業に慣れない者でも、簡単に美しい冊子を作製することが可能となる。
加えて、各台紙部間に中間用紙を挟むことによって、全体の形状も安定し、キット状態における運搬及び保管時の型崩れを防ぐことができる。【００１４】  また本考案の製本キットでは、接着に使用する材料は粘着シートや粘着ラベルであり、貼る、装着するなどの製本工程で特別な用具を使用しない。よって製本作業の初心者でも、全作業工程を比較的短時間（概ね１０分〜１５分程度）で終了することができる。【００１５】  本考案で使用する台紙集合体を構成する複数枚の台紙用紙は、写真台紙として適度の厚さ（例えば０．５ｍｍ程度）と比較的滑らかな表面層を有する紙類（例えばケント紙等）であることが好ましい。このような台紙を使用することにより、相互を貼り合わせることによって一層強度が増し、写真貼付後にも型崩れを極力防ぎ、冊子形成時において非常にコンパクトで、収納や持ち運びに都合がよい形状となる。
また、台紙用紙の標準枚数は、表紙部を除いた台紙部が５枚、計１０頁を形成する６枚を使用するが、製作者の希望により、枚数を３枚から８枚まで増減することも可能とする。台紙数の上限を８枚とすることにより、机上等に置いた状態でどの頁もほぼ水平に開くことができ、写真を貼り付ける際に冊子を傷めることなく、美麗に仕上げることが可能となる。
さらに、１枚の台紙用紙の大きさは、最小で縦２８ｃｍ、横１９ｃｍ、最大で縦４２．０ｃｍ、横２９．１ｃｍの長方形が好ましい。このサイズの用紙を使用することにより、長い方の一辺を中央部を中心として半分に折り曲げた際、最小時でキャビネサイズ、最大時でＡ４サイズの長方形を形成し、様々な写真サイズに対応することが可能となる。【００１６】  各台紙用紙の長い方の一辺を、そのほぼ中央部を中心として半分に折り曲げ、約半分の面積を有する長方形の見開き冊子状とする。全ての台紙用紙を冊子状に折り曲げた後積み重ね、背面を揃えて隣り合う各台紙用紙の外側部分を液状接着剤等で貼り合わせ、台紙集合体を形成する。【００１７】  冊子状の台紙集合体の背面部全体を布製の片面粘着テープ（例えば布製製本テープ等）にて背貼りし、それだけでも冊子として十分な安定形を保つものとする。このことにより背表紙の粘着ラベル貼り他の組立作業を簡単で短時間に行うことが可能となる。【００１８】  本考案にて台紙部及び見返部を形成するために使用する台紙用紙は、貼り付ける写真類を引き立てる背景色として、全体が黒色または白色の用紙が好ましいが、写真の背景としてふさわしい他の色でも良い。また台紙集合体の背部全体に貼り付ける片面粘着テープは、できるだけ台紙用紙と近似する色を使用することが好ましい。【００１９】  本考案において、製本者によって準備される表裏表紙用紙は、写真印刷に適した用紙で少なくとも表紙芯材よりも縦横ともに２．５ｃｍ〜３ｃｍ程度長い寸法を有するものが好ましい。この面積を有する用紙を使用することで、表紙芯材の縁部までをくまなく覆うことが可能となり、美麗な表紙面を作製することが可能となる。【００２０】  また、背表紙用粘着ラベルにおいては、耐水性や耐磨耗性にすぐれた材質、または表面加工が施された、インクジェットプリンター、銀塩プリンター等の印刷に適し、片面を剥離紙で保護された粘着ラベルが好ましい。またラベルの幅は台紙集合体の背幅よりも上下ともに１ｃｍ程度広いものが好ましい。ラベルに印刷されるタイトル文字はラベルのほぼ中央部に印字され、文字の大きさは最大でも台紙集合体の背幅よりはみ出ない程度の号数が好ましい。【００２１】  粘着ラベルは、１枚の用紙に複数枚のプリントまたは印字が可能で、プリント後に複数枚に分割可能な物であっても良い。【００２２】  表表紙用及び裏表紙用の表紙芯材については、表紙として適度の厚み（例えば３ｍｍ程度）と、適度の強度を持つ紙類（例えば圧縮されたボール紙等）が好ましい。
また、表紙芯材の縦横の長さは、折り畳んで背貼りされた状態で、台紙集合体表面の縦横の長さよりやや（例えば５ｍｍ程度）長めが好ましい。【００２３】  本考案の表及び裏表紙用紙と各表紙芯材の接着用に使用する２枚の両面粘着シートは、各表紙用紙と縦横共にほぼ同じ長さを有し、両面を剥離紙にて保護された物が好ましい。【００２４】  同じく表及び裏表紙芯材の、表紙が接合されていない面と台紙集合体の見返部外側面の接着に使用する２枚の両面粘着シートは、表及び裏見返部よりわずかに（例えば２ｍｍ程度）両見返部より短い縦横の長さを有し、両面を剥離紙にて保護された物が好ましい。【００２５】  さらに本考案の製本キットを組立後見開き状態にした際に、表紙部のうち背部の反対側に位置する上下の合計四方の角部に補強のため装着する金具については、表紙用紙と見返部を接合した表紙芯材が、隙間無く密着固定する程度の溝部幅を有するものが好ましい。また、その色は金色、銀色、赤色など写真集の表紙を引き立てる色ならば特に限定しない。同じく金具の形状は、Ｌ字型、三角型など角部の補強に適した形ならば特に限定しない。【００２６】  この金具を装着することにより、落下や摩擦に強く、しかも重厚かつ高級感溢れる写真集冊子を作製することができる。【００２７】  台紙集合体の各台紙間に挟みこむ中間用紙は、貼り合せた２枚の台紙用紙と同程度の厚みと強度を有する紙類（例えば厚さ１ｍｍ程度の厚紙）を使用することが好ましい。【００２８】  この厚みの中間用紙を使用することにより、台紙用紙を折り曲げた際に形成された台紙間の溝部に適合し、台紙集合体の形状を安定させる効果があり、キット状態における運搬時及び保管時の型崩れを防ぐ効果がある。【００２９】  本考案の写真集用製本キットは、表表紙用及び裏表紙用の一対の表紙芯材と、写真台紙として適度な強度と厚みを併せ持つ材質の用紙を、用紙全体の中央部からほぼ半分に折り曲げ、積み重ねた後相互を貼り合わせ、布製の片面粘着テープにて背貼りを施し、冊子状の台紙集合体を形成する複数の台紙用紙、上記台紙用紙にて形成される冊子集合体の、最も外側に位置する表及び裏の見返部と、表及び裏表紙の内側部を接着するための、見返部とほぼ同面積を有する２枚の両面粘着シート、表表紙及び裏表紙として使用する写真類プリント紙と、表表紙及び裏表紙用芯材を接着するための、各表紙芯材より縦横ともに２．５〜３ｃｍ程度長い寸法を有する２枚の両面粘着シート、表紙接着後の冊子を形成した際に、見開いた形態で表紙の外側に位置する四方の角部に装着するための、表紙芯材を収納するために適度な幅の溝をもつ補強金具４個、あらかじめタイトル文字等を印刷した、背表紙を形成する１枚の片面粘着ラベル、台紙集合体の形状安定と台紙表面保護のため各台紙間に挟む、台紙と同等のサイズを有する複数枚の中間用紙とで構成されていることを特徴とする。【００３０】  本考案に用いる台紙集合体は、あらかじめ離別が困難な冊子を形成している。このことによって各台紙用紙の強度が増し、台紙部全体の形状も安定し、キット状態においても型崩れを防ぐことができる。加えて表紙芯材との接合を行う際も台紙相互のずれを防ぎ、製本作業に慣れない者でも簡単に美しい��子を作成することが可能となる。【００３１】  また本考案では、各部の接着に粘着シートや粘着ラベルのみを使用することで、全製本作業工程を比較的短時間（概ね１０分〜１５分程度）で終了することができる。
【考案の効果】
【００３２】  本考案によれば、キット状態時においても嵩まず安定形を保ち、可能な限り少数の単純な部材を使用して短時間で組み立てを完了し、好みの写真を貼り付けることで、製本作業に慣れない者でも容易かつ安全に美麗な写真集を作製することができる。
【考案を実施するための最良の形態】
【００３３】  以下、添付図面に基づいて、本考案の好適な実施の形態を説明する。【００３４】  図１に本考案に係る写真集用製本キットにより作製された、オリジナル写真集の見開き形態図が示されており、図２に作製済みオリジナル写真集の斜視図、図３にその各部品一式が示されている。図１に示す台紙部の枚数は標準５枚を想定しているが、製作者の希望に応じて台紙枚数を３〜６枚まで増減できるものとする。同じく中間用紙の枚数は、台紙間の数と同じ枚数を要することとなる。【００３５】  本考案のオリジナル写真集用製本キットは、図２に示す表表紙用芯材１、及び裏表紙用芯材２と、写真台紙として適度な強度と厚みを併せ持つ６枚の台紙用紙を、二つ折りにして相互を貼り合わせた後、布製の片面粘着テープ（例えば布製製本テープ等）にて背貼りすることによって、冊子状に形成された台紙集合体３、上記台紙用紙にて形成される表及び裏の見返部と、表及び裏表紙の内側部を接着するための、見返部とほぼ同面積を有する、両面を剥離紙で保護された２枚の両面粘着シート（以下表（裏）見返用粘着シートと呼ぶ）４及び５、表表紙または裏表紙として使用する写真類プリント紙と、表表紙用または裏表紙用芯材を接着するための、各表紙芯材より縦横ともに２．５ｃｍ〜３ｃｍ程度長い寸法を有する、両面を剥離紙で保護された２枚の両面粘着シート（以下表（裏）表紙用粘着シートと呼ぶ）６及び７、冊子を形成後見開いた形態にて、背表紙と反対側の縁部に位置する四方の角部に装着する、表紙芯材を収納するために適度な幅の溝をもつ４個の補強金具８、９、１０及び１１、あらかじめタイトルの文字等を印刷した、背表紙を形成する１枚の粘着ラベル１２、キット時における形状安定と台紙表面保護のため各台紙間に挟みこむ、台紙と同等の寸法を有する６枚の中間用紙１３、１４、１５、１６、１７及び１８とで構成されている。【００３６】  この実施形態において、図４に示すように、台紙集合体を構成する台紙部及び見返部を形成する台紙用紙として、例えば本考案での最小サイズを作成する場合で縦２８ｃｍ、横１９ｃｍの適度な強度と比較的滑らかな表面層を有する紙（例えば０．５ｍｍ程度の厚手のケント紙等）の長い方の一辺を、そのほぼ中央部分を中心として二つ折りすることにより、ほぼ半分の面積を有する長方形の見開き冊子状の形態とする。台紙用紙として用意された６枚を全て同様の冊子状に折り、相互を積み重ねて小冊子を形成する状態とし、背部を揃えてそれぞれの台紙用紙の外側部分同士を液状接着剤等で貼り合わせ、合計７枚からなる小冊子状の台紙集合体３を形成し、そのうち最も両端に位置する２枚３ａ及び３ｂを表及び裏見返部とし、それ以外の５枚を台紙部として使用する。
５枚の台紙部の各表裏面合計１０頁を、撮影後印刷された写真類を貼り付ける用途に使用する。
台紙集合体３の背部を形成する部分３ｃ全体を、両縁部から各１ｃｍ程度３ａ及び３ｂ方向に張り出すように、布製片面粘着テープ（例えば布製製本テープ）等にて背貼りを施す。冊子状の台紙部及び見返部は、机上等に置いて見開く場合、どの頁もほぼ水平に開くことができるように形成される。【００３７】  完成した台紙集合体３の各台紙間に、中間用紙１３、１４、１５、１６、１７、１８を挟む。【００３８】  次に、本考案の写真集用製本キットの組立作業工程を、図５に示し説明する。【００３９】（１）あらかじめ作製者において、好みの写真又はタイトル文字や図がプリントされた表裏用の表紙用紙と、製本後の写真集に貼り付ける好みの写真１０枚を、表面加工を施すなどして準備しておく。また、キット時において台紙集合体に挟まれている中間用紙１３、１４、１５、１６、１７、１８は組立て前に外しておく。【００４０】（２）作製者が準備した表裏用の各表紙用紙と、表表紙用粘着シート６、裏表紙用粘着シート７を準備し、表表紙用粘着シート６の片面６ａの剥離紙を、一端から少しずつ剥がし、一辺の、幅１〜２ｃｍ程度まで剥がし終わったところで、剥いだ剥離紙に折り目をつけておく。【００４１】（３）表表紙用の表紙用紙の裏側（プリントされていない方）に工程（２）にて剥離紙を剥がされた表表紙用粘着シート６ａの粘着部分を合わせ、剥がし残りの剥離紙を剥ぎつつ、６ａの粘着面と表表紙用紙の裏側との間に空気が入らないよう貼り付けていく。この作業の際、定規等の長く平らな棒で押さえながら貼り付けていくと、比較的空気が入りにくい。また、この時点では表表紙用粘着シート６の片方の粘着面６ｂは、剥離紙で保護されたままの状態を維持している。同様に裏表紙用の表紙用紙も、裏表紙用粘着シート７の片面７ａと貼り合わせる、７ａの反体面７ｂも、まだ剥離紙にて保護されたままの状態を維持している。【００４２】（４）次に台紙集合体３と背表紙用粘着ラベル１２を準備し、台紙集合体３の背表紙部３ｃの全体に、既に印刷されているタイトル文字がほぼ中央に位置するよう、背表紙用粘着ラベル１２を貼り付ける。あらかじめ背表紙用粘着ラベル１２の長さは、台紙集合体３の背表紙部３ｃと同じ長さに切り揃えておく。【００４３】（５）工程（３）にて表表紙用紙と接合された表表紙用粘着シート６の、まだ剥離紙で保護されたままの状態である面６ｂの剥離紙を剥がし、表表紙用芯材１の片面１ａと貼り合わせる。この際、１ａを６ｂの粘着面全体のほぼ中央部に位置するよう、前後左右のバランスを勘案して貼り合わせると良い。同様に裏表紙用粘着シート７の、まだ剥離紙で保護されたままの状態である面７ｂも、裏表紙用芯材２の片面２ａと貼り合わせる。【００４４】（６）工程（５）の表表紙用紙と表表紙用芯材１が貼り合わせられた状態にて、表表紙用粘着シート６の四方の角部は、表表紙用芯材１よりも、各縁部より約１．２〜１．５ｃｍ程度張り出している形状になる。この四方の角部のうち、表表紙用芯材１の縁部に沿って内側に折りこむ際、縁部を隙間なく覆うことができる程度の幅を残した余剰部分を、鋏等を用いて直角に切り落とし、先に表紙部の長い二辺、次いで短い二辺の順に、表表紙芯材１を巻き込むように折りこ��、しっかりと接着させ表表紙部を完成する。同様に裏表紙用粘着シート７の四方の角部も切り落とし、裏表紙用芯材２を巻き込むように折りこみ接着し、裏表紙部を完成する。【００４５】（７）表及び裏の各表紙部の、背表紙側縁部と反対側に位置する上下の角部、合計４箇所へ、補強金具８、９、１０、１１を差し込む。実施例の金具はＬ字型の物を用いているが、金具の形状は特に限定されず、補強に適した他の形状の金具を用いても良い。【００４６】（８）台紙集合体３と、表見返用粘着シート４及び裏見返用粘着シート５を準備し、表見返用粘着シート４の片面４ａの剥離紙を剥がし、台紙集合体の表見返部３ａに貼り付ける。この時点で４ａの反対面４ｂは、まだ剥離紙で保護されたままの状態を維持している。同様に、裏見返用粘着シート５の片面５ａの剥離紙を剥がし、台紙集合体の裏見返部３ｂに貼り付ける。５ａの反体面５ｂも、まだ剥離紙で保護されたままの状態である。【００４７】（９）工程（８）にて見返部３ａに貼り付けられた、表見返用粘着シート４ｂの剥離紙を剥がして、表表紙用芯材１の、表紙用紙を貼られていない面１ｂと貼り合わせる。このとき、表紙写真類と背表紙の上下方向が適合しているか慎重に確認する。また、貼り合せの際には表紙角部に装着した補強金具の内側縁部を目安に貼り付けると、完成後の形状が美しい。同様に、裏見返用粘着シート５ｂの剥離紙を剥がして、見返部３ｂと貼り合わせる。【００４８】（１０）あらかじめ準備していた写真１０枚を、好みの順番で接着剤等にて貼り付け、オリジナル写真集が完成する。この際接着剤として両面テープ及びスプレー糊等を用いると、しわが少なく美麗に貼ることができる。
【図面の簡単な説明】
【００４９】
【図１】本考案の実施形態に係る、写真集用製本キットの組立後形成された、写真集冊子の見開き図。
【図２】本考案の実施形態に係る、写真集用製本キットの組立後形成された、写真集冊子の斜視図
【図３】本考案の実施形態に係る写真集用製本キットの部材一式の図。
【図４】台紙集合体３の上部（Ａ）、及び斜視図（Ｂ）。
【図５】本考案の実施形態に係る製本キットの使用方法を説明するために示す図。
【符号の説明】
【００５０】  １…  表表紙用芯材
１ａ…  表表紙用芯材の表面
１ｂ…  表表紙用芯材の裏面
２…  裏表紙用芯材
２ａ…  裏表紙用芯材の表面
２ｂ…  裏表紙用芯材の裏面
３…  台紙集合体
３ａ…  台紙集合体の表見返部
３ｂ…  台紙集合体の裏見返部
３ｃ…  台紙集合体の背部
４…  表見返用粘着シート
４ａ…  表見返用粘着シートの表面
４ｂ…  表見返用粘着シートの裏面
５…  裏見返用粘着シート
５ａ…  裏見返用粘着シートの表面
５ｂ…  裏見返用粘着シートの裏面
６…  表表紙用粘着シート
６ａ…  表表紙用粘着シートの表面
６ｂ…  表表紙用粘着シートの裏面
７…  裏表紙用粘着シート
７ａ…  裏表紙用粘着シートの表面
７ｂ…  裏表紙用粘着シートの裏面
８、９、１０、１１…  補強金具（実施例ではＬ字型）
１２…  背表紙用粘着ラベル
１３、１４、１５、１６、１７、１８…  中間用紙
【図１】
0003123620.tif 000003
【図２】
0003123620.tif 000004
【図３】
0003123620.tif 000005
【図４】
0003123620.tif 000006
【図５】
0003123620.tif 000007
【手続補正書】
【提出日】平成18年4月17日(2006.4.17)
【手続補正１】
【補正対象書類名】実用新案登録請求の範囲
【補正対象項目名】請求項６
【補正方法】変更
【補正の内容】
【請求項６】
請求項５に記載する台紙集合体につき、
表紙を除いた台紙部の標準枚数は５枚とするものの、台紙集合体の製本過程で、同じ面積の台紙用紙を３枚から６枚までの範囲内で製作者が希望する枚数に製本することを可能とすることを特徴とする、写真集用製本キット。
【手続補正２】
【補正対象書類名】実用新案登録請求の範囲
【補正対象項目名】請求項７
【補正方法】変更
【補正の内容】
【請求項７】
請求項５及び請求項６に記載する台紙集合体につき、
１頁当たりの台紙面積として、最小時縦１９ｃｍ、横１４ｃｍから、最大時縦２９．１ｃｍ、横２１．０ｃｍまでの範囲内で、製作者が希望する長さと幅を持つ用紙を使用することを可能とすることを特徴とする写真集用製本キット。